(57)【要約】【課題】ユーザの要求が満たされないことによる利便性の低下を抑えることが可能となる電気機器を提供する。【解決手段】所定の特定操作を受付ける操作受付部と、前記特定操作が行われた場合に所定の特定動作を実行する動作実行部と、自機が前記特定動作の実行が制限される制限状態であるか否かを識別する識別部と、前記特定動作の代行を行う機能を有した代行機器との通信を行う通信部と、を備えた電気機器であって、自機が前記制限状態であるときに前記特定操作が行われた場合に、前記代行を行わせる情報を前記代行機器へ送信する電気機器とする。【選択図】図５
2015026885.tif 000002
【特許請求の範囲】
【請求項１】
所定の特定操作を受付ける操作受付部と、
前記特定操作が行われた場合に所定の特定動作を実行する動作実行部と、
自機が前記特定動作の実行が制限される制限状態であるか否かを識別する識別部と、
前記特定動作の代行を行う機能を有した代行機器との通信を行う通信部と、
を備えた電気機器であって、
自機が前記制限状態であるときに前記特定操作が行われた場合に、前記代行を行わせる情報を前記代行機器へ送信する電気機器。
【請求項２】
前記操作受付部は、
前記特定操作として、それぞれに異なる前記特定動作が対応付けられた複数種のキー操作のうちの何れかを受付け、
前記動作実行部は、
前記キー操作が行われた場合に、該キー操作に対応した前記特定動作を実行する請求項１に記載の電気機器であって、
自機が前記制限状態であるときに前記キー操作の何れかが行われた場合に、前記代行を行わせる情報として、該キー操作の情報を前記代行機器へ送信することを特徴とする電気機器。
【請求項３】
前記特定動作には、
ＥＰＧを表示させる動作が含まれることを特徴とする請求項２に記載の電気機器。
【請求項４】
前記特定動作には、
前記ＥＰＧからの番組検索を受付ける動作が含まれることを特徴とする請求項３に記載の電気機器。
【請求項５】
番組の予約録画を行う請求項３または請求項４に記載の電気機器であって、
前記特定動作には、
前記予約録画の対象である番組のリストを表示させる動作が含まれることを特徴とする電気機器。
【請求項６】
複数種のＯＳＤ画面を切替えて表示させる請求項２から請求項５の何れかに記載の電気機器であって、
前記特定動作には、
表示されている前記ＯＳＤ画面の切替または消去を行う表示切替動作、が含まれることを特徴とする電気機器。
【請求項７】
請求項２から請求項６の何れかに記載の電気機器と、
前記電気機器から前記キー操作の情報を受信したときに、該キー操作に対応した前記特定動作の代行を行う前記代行機器と、
を有する機器システム。
【請求項８】
前記電気機器は、
前記制限状態から回復したときに、これまでの前記代行によって形成された前記代行機器の現在状態を引継ぐことを特徴とする請求項７に記載の機器システム。
【請求項９】
請求項６に記載の電気機器と、
前記電気機器から前記キー操作の情報を受信したときに、該キー操作に対応した前記特定動作の代行を行う前記代行機器と、
を有する機器システムであって、
前記電気機器は、
前記制限状態から回復したときに、前記表示切替動作の代行が行われるタイミングで、これまでの前記代行によって形成された前記代行機器の現在状態を引継ぐことを特徴とする機器システム。
【発明の詳細な説明】
【技術分野】
【０００１】
本発明は、操作に応じた動作を行う電気機器、および当該電気機器を有する機器システムに関する。
【背景技術】
【０００２】
従来、ユーザの操作に応じた動作を行う各種の電気機器が広く利用されている。当該電気機器によれば、ユーザの意図に沿った動作を行うことが可能である。当該電気機器としては、例えば、所定の操作がなされたときにＥＰＧ画面を表示させるＡＶ機器などが該当する。
【０００３】
このようなＡＶ機器によれば、ユーザが当該操作を行ったときに、ＥＰＧが閲覧出来るようにするというユーザの要求に応えることが可能である。なおユーザの操作を受付ける手段としては、電気機器本体に設けられる操作キーや、遠隔操作を可能とするリモートコントローラ等、様々な形態の手段が挙げられる。
【先行技術文献】
【特許文献】
【０００４】
【特許文献１】特開２００７−１９３６２７号公報
【発明の概要】
【発明が解決しようとする課題】
【０００５】
ところで電気機器は、電源オン直後の起動時やファームウェアのアップデート時等において、一部動作の実行が制限される状態となる。例えばレコーダーについての電源オン直後には、各種接続デバイスの起動やＯＳの起動が必要となるため、数秒から十数秒に亘って一部動作の実行が制限される状態となる。
【０００６】
この状態では、ユーザが当該動作を実行させるための操作を行っても、電気機器に当該動作を実行させることは出来ない。その結果、ユーザの操作に応じた動作が実行されることはなく、ユーザの要求は満たされない状況となる。このような状況が頻繁に生じると、ユーザにとっての利便性が低下することになる。
【０００７】
本発明は上述した問題に鑑み、ユーザの要求が満たされないことによる利便性の低下を抑えることが可能となる電気機器、およびこれを備えた機器システムの提供を目的とする。
【課題を解決するための手段】
【０００８】
本発明に係る電気機器は、所定の特定操作を受付ける操作受付部と、前記特定操作が行われた場合に所定の特定動作を実行する動作実行部と、自機が前記特定動作の実行が制限される制限状態であるか否かを識別する識別部と、前記特定動作の代行を行う機能を有した代行機器との通信を行う通信部と、を備えた電気機器であって、自機が前記制限状態であるときに前記特定操作が行われた場合に、前記代行を行わせる情報を前記代行機器へ送信する構成とする。本構成によれば、ユーザの要求が満たされないことによる利便性の低下を抑えることが可能となる。
【０００９】
また、前記操作受付部は、前記特定操作として、それぞれに異なる前記特定動作が対応付けられた複数種のキー操作のうちの何れかを受付け、前記動作実行部は、前記キー操作が行われた場合に、該キー操作に対応した前記特定動作を実行する上記構成の電気機器において、自機が前記制限状態であるときに前記キー操作の何れかが行われた場合に、前記代行を行わせる情報として、該キー操作の情報を前記代行機器へ送信する構成としてもよい。本構成によれば、特定動作の代行を行わせる動作としてキー操作の情報の送信を行なえば良く、動作負担は軽減される。
【００１０】
また上記構成としてより具体的には、前記特定動作には、ＥＰＧを表示させる動作が含まれる構成としてもよい。また上記構成としてより具体的には、前記特定動作には、前記ＥＰＧからの番組検索を受付ける動作が含まれる構成としてもよい。
【００１１】
また番組の予約録画を行う上記構成の電気機器において、前記特定動作には、前記予約録画の対象である番組のリストを表示させる動作が含まれる構成としてもよい。また複数種のＯＳＤ画面を切替えて表示させる上記構成の電気機器において、前記特定動作には、表示されている前記ＯＳＤ画面の切替または消去を行う表示切替動作、が含まれる構成としてもよい。
【００１２】
また本発明に係る機器システムは、上記構成の電気機器と、前記電気機器から前記キー操作の情報を受信したときに、該キー操作に対応した前記特定動作の代行を行う前記代行機器と、を有する構成とする。また上記構成としてより具体的には、前記電気機器は、前記制限状態から回復したときに、これまでの前記代行によって形成された前記代行機器の現在状態を引継ぐ構成としてもよい。本構成によれば、ユーザに出来るだけ違和感を与えることなく、特定動作の動作主体を代行機器から電気機器に移行させることが可能となる。
【００１３】
また本発明に係る機器システムは、上記構成の電気機器と、前記電気機器から前記キー操作の情報を受信したときに、該キー操作に対応した前記特定動作の代行を行う前記代行機器とを有し、前記電気機器は、前記制限状態から回復したときに、前記表示切替動作の代行が行われるタイミングで、これまでの前記代行によって形成された前記代行機器の現在状態を引継ぐ構成としてもよい。本構成によれば、特定動作の動作主体を代行機器から電気機器に移行させる際に、不自然な表示切替が生じることを防ぎ、ユーザにより違和感を与えないようにすることが可能となる。
【発明の効果】
【００１４】
本発明に係る電気機器によれば、ユーザの要求が満たされないことによる利便性の低下を抑えることが可能となる。また本発明に係る機器システムによれば、本発明の電気機器の利点を享受することが可能となる。
【図面の簡単な説明】
【００１５】
【図１】本発明の実施形態に係る機器システムのブロック図である。
【図２】特定動作に関する説明図である。
【図３】ＴＶ受像機が行う代行に関する動作のフローチャートである。
【図４】レコーダーが行う代行に関する動作のフローチャートである。
【図５】代行に関する動作の概念図である。
【発明を実施するための形態】
【００１６】
本発明の実施形態について、各図面を参照しながら以下に説明する。
【００１７】
［機器システムの構成等］
図１は、本実施形態に係る機器システム９の構成に関するブロック図である。本図に示すように機器システム９は、レコーダー１（電気機器の一形態）およびＴＶ受像機２（代行機器の一形態）を有している。レコーダー１とＴＶ受像機２は、互いに独立した機器としても利用され得るが、ＨＤＭＩ（登録商標）の規格に準拠したＨＤＭＩケーブル３によって互いに接続されることにより機器システム９を形成する。
【００１８】
ＴＶ受像機２は、ディスプレイ２１を備えるとともに、テレビ放送受信機能を有している。ＴＶ受像機２は、テレビ番組のコンテンツ情報やＥＰＧ［Electronic Program Guide］の情報を取得し、これらをディスプレイ２１に表示させることが可能である。またＴＶ受像機２は、レコーダー１からコンテンツ情報を受信すると、このコンテンツ情報をディスプレイ２１に表示させる。
【００１９】
またＴＶ受像機２は、各種の特定動作を代行する（レコーダー１に代わって行う）機能を有している。レコーダー１は、通常の状態では特定動作を実行することが可能であるが、起動時等の一定の状況下においてはその実行が制限される。すなわちレコーダー１は、当該状況下においては、特定動作を適切に実行することができない。
【００２０】
そこでこの場合には、ＴＶ受像機２が特定動作を代行し、ユーザの要求が満たされないことによる利便性の低下が抑えられるようにする。なお特定動作の代行に関しては、改めてより詳細に説明する。
【００２１】
レコーダー１は、レコーダー本体１０およびリモコン送信機１１を備えている。レコーダー本体１０は、リモコン受光部１２、本体スイッチ１３、サブマイコン１４、メインＩＣ１５、内蔵ＨＤＤ１６、ＬＡＮインターフェース１７、およびディスクドライブ１８等の各要素が、例えば金属製の筐体内に搭載された形態となっている。
【００２２】
リモコン送信機１１は、複数のキースイッチ（押しボタン式のスイッチ等）が設けられており、ユーザによる各種のキー操作を受付ける。リモコン送信機１１はキー操作を受付けると、そのキー操作の情報（少なくとも何れのキー操作が行われたかを特定する情報）を含む操作信号を、リモコン受光部１２へ無線送信する。
【００２３】
リモコン受光部１２は、リモコン送信機１１から操作信号を受信すると、この操作信号に含まれるキー操作の情報等をサブマイコン１４へ送出する。リモコン送信機１１とリモコン受光部１２は、レコーダー１におけるリモートコントローラとして機能する。これによりユーザは、レコーダー１を遠隔操作することが可能である。
【００２４】
本体スイッチ１３は、レコーダー本体１０に設けられた複数のキースイッチである。本体スイッチ１３を用いて行われた各種のキー操作の情報は、サブマイコン１４へ送出される。なお以下の説明では、リモコン送信機１を用いて行われるキー操作、および本体スイッチ１３を用いて行われるキー操作を、単に「キー操作」と総称する。
【００２５】
サブマイコン１４は、キー操作の情報を受取ると、何れのキー操作が行われたかを検知する。またサブマイコン１４は、メインＩＣ１５が電源オンの状態であるときにキー操作の情報を受取ったときには、当該情報をメインＩＣ１５に転送する。またサブマイコン１４は、メインＩＣ１５が電源オフの状態であるときに「電源オン」等のキー操作が行われたときには、メインＩＣ１５に電源を投入して起動処理が行われるようにする。
【００２６】
なお代行機器に特定動作を代行させるときには、キー操作等の情報は、サブマイコン１４からＨＤＭＩケーブル３を介して、代行機器へ送られる。またＬＡＮを利用するときには、キー操作等の情報は、サブマイコン１４からメインＩＣ１５に転送された後、メインＩＣ１５からＬＡＮインターフェース１７を介して、ＬＡＮに接続された機器へ送られる。なおＬＡＮを利用するためには、メインＩＣ１５においてＯＳ［Operating System］がある程度機能している必要がある。
【００２７】
メインＩＣ１５は、ＯＳに基づいて種々の動作を実行し、レコーダー１の各種機能が適切に発揮されるようにする。またメインＩＣ１５は、内蔵ＨＤＤ１６、ＬＡＮインターフェース１７、およびディスクドライブ１８といった内部デバイスに接続されており、更に、ＳＤカード４、ＵＳＢメモリ５、および外付けＨＤＤ６といった外部記憶媒体にも接続可能である。またメインＩＣ１５は、電源オン／オフの切替が可能となっている。
【００２８】
メインＩＣ１５が電源オフの状態であるときには、メインＩＣ１５における電力消費は抑えられる。この状態で「電源オン」等のキー操作が行われると、その情報がサブマイコン１４からメインＩＣ１５に伝えられる。これによりメインＩＣ１５は、起動処理の実行を経て電源オンの状態となる。メインＩＣ１５は、電源オンの状態であるときに通常の動作を行うことが可能である。なおメインＩＣ１５が行う起動処理には、ＯＳを起動させる処理や、接続されている各デバイスを起動させる処理等が含まれる。
【００２９】
内蔵ＨＤＤ１６は、大容量の記憶装置であり、録画データの記録等に利用される。またＬＡＮインターフェース１７は、ＬＡＮ［Local Area Network］に接続するためのインターフェースである。またディスクドライブ１８は、ＤＶＤ等のディスクを用いた情報記録や情報再生を可能とする。ＳＤカード４、ＵＳＢメモリ５、および外付けＨＤＤ６は、何れもレコーダー本体１０に対して着脱自在であり、各種データの記録に利用される。
【００３０】
メインＩＣ１５は、サブマイコン１４から転送される各種キー操作の情報に応じて、各種の動作を実行する。メインＩＣ１５が行う動作には、テレビ番組のコンテンツ情報（映像や音声の情報）やＥＰＧ［Electronic Program Guide］の情報を取得する動作が含まれる。
【００３１】
またメインＩＣ１５が行う動作には、テレビ番組のコンテンツ情報の録画や再生を行う動作が含まれる。コンテンツ情報の録画は、取得したコンテンツ情報を内蔵ＨＤＤ１６等に記録させることにより実現される。またメインＩＣ１５は、予約しておいた番組を録画する予約録画を行うことも可能である。
【００３２】
またコンテンツ情報の再生は、録画済みのコンテンツ情報をＴＶ受像機２へ送信することにより実現される。メインＩＣ１５は、再生登録された番組のコンテンツ情報をＴＶ受像機２へ送信し、この番組が再生されるようにする。
【００３３】
［特定動作の内容］
またメインＩＣ１５が行う動作には、各種の特定動作が含まれる。この特定動作について、以下に説明する。なおメインＩＣ１５が各種情報（ＥＰＧ画面等）を表示させるディスプレイは、基本的にはＴＶ受像機２のディスプレイ２１であるが、その他のディスプレイであっても構わない。
【００３４】
通常の状態においてメインＩＣ１５は、ＥＰＧ画面表示指示のキー操作Ｋａ、検索画面表示指示のキー操作Ｋｂ、予約リスト画面表示指示のキー操作Ｋｃ、およびタイトルリスト画面表示指示のキー操作Ｋｄの何れかが行われた場合に、特定動作を実行する。
【００３５】
具体的に説明すると、キー操作Ｋａが行われた場合には、メインＩＣ１５は、ＥＰＧ画面をディスプレイに表示させる。ＥＰＧ画面は、ＥＰＧの内容（各チャンネルの時間帯ごとの放送番組が表された番組表）を示すＯＳＤ画面である。ＥＰＧ画面には、何れかの番組を指し示すカーソルも含まれている。
【００３６】
またキー操作Ｋｂが行われた場合には、メインＩＣ１５は、検索画面をディスプレイに表示させる。検索画面は、ＥＰＧからの番組の検索を受付けて、検索された番組の一覧を示すＯＳＤ画面である。検索画面には、キーワード等の入力欄や、検索された各番組の何れかを指し示すカーソルも含まれている。
【００３７】
またキー操作Ｋｃが行われた場合には、メインＩＣ１５は、予約リスト画面をディスプレイに表示させる。予約リスト画面は、予約録画の対象である番組のリスト（予約リスト）を表すＯＳＤ画面である。予約リスト画面には、何れかの番組を指し示すカーソルも含まれている。
【００３８】
またキー操作Ｋｄが行われた場合には、メインＩＣ１５は、タイトルリスト画面をディスプレイに表示させる。タイトルリスト画面は、録画済みの番組のリストを表すＯＳＤ画面である。タイトルリスト画面には、何れかの番組を指し示すカーソルも含まれている。
【００３９】
メインＩＣ１５は上述の特定動作を行うことにより、ディスプレイにＥＰＧ画面を表示させた状態（ＥＰＧ画面表示状態）、検索画面を表示させた状態（検索画面表示状態）、予約リスト画面を表示させた状態（予約リスト表示状態）、およびタイトルリスト画面を表示させた状態（予約リスト画面表示状態）の何れかとなる。このような状態において実行される特定動作について、図２を参照しながら以下に説明する。
【００４０】
ＥＰＧ画面表示状態Ｍａにおいて、メインＩＣ１５は、先述した各キー操作（Ｋｂ、Ｋｃ、Ｋｄ）の何れか、或いは、カーソル移動指示のキー操作Ｋ１、決定のキー操作Ｋ２、および表示範囲更新のキー操作Ｋ３の何れかが行われた場合に、そのキー操作に対応した特定動作を実行する。
【００４１】
具体的に説明すると、キー操作Ｋｂが行われた場合には、メインＩＣ１５は、ディスプレイに表示されるＯＳＤ画面をＥＰＧ画面から検索画面に切替える。これによりメインＩＣ１５は、検索画面表示状態Ｍｂとなる。またキー操作Ｋｃが行われた場合には、メインＩＣ１５は、ディスプレイに表示されるＯＳＤ画面をＥＰＧ画面から予約リスト画面に切替える。これによりメインＩＣ１５は、予約リスト画面表示状態Ｍｃとなる。またキー操作Ｋｄが行われた場合には、メインＩＣ１５は、ディスプレイに表示されるＯＳＤ画面をＥＰＧ画面からタイトルリスト画面に切替える。これによりメインＩＣ１５は、タイトルリスト画面表示状態Ｍｄとなる。
【００４２】
またキー操作Ｋ１が行われた場合には、メインＩＣ１５は、ＥＰＧ画面におけるカーソルの移動Ｍａ１を実行する。またキー操作Ｋ２が行われた場合には、メインＩＣ１５は、カーソルにより指し示された番組の録画予約登録Ｍａ２を実行する。録画予約登録された番組は、予約番組リストに追加される。またキー操作Ｋ３が行われた場合には、メインＩＣ１５は、ＥＰＧ画面の表示範囲更新Ｍａ３が実行される。表示範囲更新Ｍａ３によれば、一画面に表示されるＥＰＧのチャンネル数等が変更される。
【００４３】
また検索画面表示状態Ｍｂにおいて、メインＩＣ１５は、先述した各キー操作（Ｋａ、Ｋｃ、Ｋｄ、Ｋ１、Ｋ２）の何れか、或いは、キーワード等の入力のキー操作Ｋ４が行われた場合に、そのキー操作に対応した特定動作を実行する。
【００４４】
具体的に説明すると、キー操作Ｋａが行われた場合には、メインＩＣ１５は、ディスプレイに表示されるＯＳＤ画面を検索画面からＥＰＧ画面に切替える。これによりメインＩＣ１５は、ＥＰＧ画面表示状態Ｍａとなる。またキー操作Ｋｃが行われた場合には、メインＩＣ１５は、ディスプレイに表示されるＯＳＤ画面を検索画面から予約リスト画面に切替える。これによりメインＩＣ１５は、予約リスト画面表示状態Ｍｃとなる。またキー操作Ｋｄが行われた場合には、メインＩＣ１５は、ディスプレイに表示されるＯＳＤ画面を検索画面からタイトルリスト画面に切替える。これによりメインＩＣ１５は、タイトルリスト画面表示状態Ｍｄとなる。
【００４５】
またキー操作Ｋ４が行われた場合には、メインＩＣ１５は、例えばタイトルにキーワードを含む番組の検索を行い、検索された番組の一覧表示Ｍｂ１を実行する。またキー操作Ｋ１が行われた場合には、メインＩＣ１５は、検索画面におけるカーソルの移動Ｍｂ２を実行する。またキー操作Ｋ２が行われた場合には、メインＩＣ１５は、カーソルにより指し示された番組の録画予約登録Ｍｂ２を実行する。録画予約登録された番組は、予約番組リストに追加される。
【００４６】
また予約リスト画面表示状態Ｍｃにおいて、メインＩＣ１５は、先述した各キー操作（Ｋａ、Ｋｂ、Ｋｄ、Ｋ１、Ｋ２）の何れかが行われた場合に、そのキー操作に対応した特定動作を実行する。
【００４７】
具体的に説明すると、キー操作Ｋａが行われた場合には、メインＩＣ１５は、ディスプレイに表示されるＯＳＤ画面を予約リスト画面からＥＰＧ画面から検索画面に切替える。これによりメインＩＣ１５は、ＥＰＧ画面表示状態Ｍａとなる。またキー操作Ｋｂが行われた場合には、メインＩＣ１５は、ディスプレイに表示されるＯＳＤ画面を予約リスト画面から検索画面に切替える。これによりメインＩＣ１５は、検索画面表示状態Ｍｂとなる。またキー操作Ｋｄが行われた場合には、メインＩＣ１５は、ディスプレイに表示されるＯＳＤ画面を予約リスト画面からタイトルリスト画面に切替える。これによりメインＩＣ１５は、タイトルリスト画面表示状態Ｍｄとなる。
【００４８】
またキー操作Ｋ１が行われた場合には、メインＩＣ１５は、予約リスト画面におけるカーソルの移動Ｍｃ１を実行する。またキー操作Ｋ２が行われた場合には、メインＩＣ１５は、カーソルにより指し示された番組の詳細表示Ｍｃ２を実行する。これにより、当該番組についてのより詳しい内容、録画する際の画質、および録画に用いる記録媒体の情報等が表示される。なおこの際に、当該画質や記録媒体が、ユーザの指示に応じて変更可能となっていても良い。
【００４９】
またタイトルリスト画面表示状態Ｍｄにおいて、メインＩＣ１５は、先述した各キー操作（Ｋａ、Ｋｂ、Ｋｃ、Ｋ１、Ｋ２）の何れかが行われた場合に、そのキー操作に対応した特定動作を実行する。
【００５０】
具体的に説明すると、キー操作Ｋａが行われた場合には、メインＩＣ１５は、ディスプレイに表示されるＯＳＤ画面をタイトルリスト画面からＥＰＧ画面から検索画面に切替える。これによりメインＩＣ１５は、ＥＰＧ画面表示状態Ｍａとなる。またキー操作Ｋｂが行われた場合には、メインＩＣ１５は、ディスプレイに表示されるＯＳＤ画面をタイトルリスト画面から検索画面に切替える。これによりメインＩＣ１５は、検索画面表示状態Ｍｂとなる。またキー操作Ｋｃが行われた場合には、メインＩＣ１５は、ディスプレイに表示されるＯＳＤ画面をタイトルリスト画面から予約リスト画面に切替える。これによりメインＩＣ１５は、予約リスト画面表示状態Ｍｃとなる。
【００５１】
またキー操作Ｋ１が行われた場合には、メインＩＣ１５は、タイトルリスト画面におけるカーソルの移動Ｍｄ１を実行する。またキー操作Ｋ２が行われた場合には、メインＩＣ１５は、カーソルにより指し示された番組の再生登録Ｍｄ２を実行する。再生登録された番組は、これから再生される番組として登録される。
【００５２】
以上に説明した通り、レコーダー１は、所定の特定操作を受付けるようになっており、特定操作が行われた場合に特定動作を実行する。より具体的に説明すると、レコーダー１は、特定操作として、それぞれに異なる特定動作が対応付けられた複数種のキー操作（Ｋａ〜ＫｄおよびＫ１〜Ｋ４の一部）のうちの何れかを受付ける。そしてメインＩＣ１５は、このようなキー操作が行われた場合に、当該キー操作に対応した特定動作を実行する。
【００５３】
但しメインＩＣ１５は、特定動作の実行が制限される状態（制限状態）であるときには、特定動作を実行することが出来ない。この制限状態としては、メインＩＣ１５が起動処理を実行している状態、メインＩＣ１５がファームウェアのアップデートを実行している状態、およびＯＳＤ描画（ＯＳＤ画面の表示）が制限される状態等が挙げられる。
【００５４】
ＯＳＤ描画が制限される状態とは、例えば、ＯＳＤ描画用のレイヤを別用途に使用している場合（ディスクのメニュー画面作成時など）や、ＯＳＤ描画を行うとＯＳＤ画面も録画されてしまう場合が挙げられる。なおこのような制限状態においても、メインＩＣ１５とは別に設けられているサブマイコン１４は、基本的に通常動作を行うことが可能である。
【００５５】
また上述した各特定動作は、ＴＶ受像機２に代行させることが可能である。ＴＶ受像機２は、レコーダー１からキー操作（Ｋａ〜Ｋｄ、Ｋ１〜Ｋ４）の情報を受信することにより、そのキー操作に対応した特定動作を識別し、実行することが可能である。
【００５６】
なおＴＶ受像機２は特定動作の代行が可能となるように、ＥＰＧ画面、検索画面、予約リスト画面、タイトルリスト画面の情報を所有している。ＴＶ受像機２はこれらの情報を、独自に取得或いは所有していてもよく、予めレコーダー１と通信を行っておき、レコーダー１側から取得するようにしても良い。
【００５７】
またＴＶ受像機２が所有するこれらの画面は、必ずしも、レコーダー１が所有する各画面と全く同じである必要はなく、ほぼ同等の情報をユーザへ提供する画面となっていれば良い。また録画予約登録や再生登録の代行は、どの番組が登録されたか等の情報を記録保持しておく動作である。この記録保持された情報は、後述する引継（ステップＳ２８を参照）がなされたときにレコーダー１に渡され、レコーダー１において正式に録画予約登録や再生登録がなされる。
【００５８】
［代行に関する動作］
次に、ＴＶ受像機２が行う特定動作の代行に関する動作について、図３に示すフローチャートを参照しながら以下に説明する。
【００５９】
ＴＶ受像機２は、通常動作モードにおいて、レコーダー１からの代行通知情報（後述するステップＳ２３を参照）の受信を待機する（ステップＳ１１）。代行通知情報を受信すると（ステップＳ１１のＹ）、ＴＶ受像機２の動作状態は、特定動作の代行を随時実行する代行モードに移行する。（ステップＳ１２）。
【００６０】
代行モードであるＴＶ受像機２は、レコーダー１からキー操作の情報を受信する度に、当該キー操作に対応した特定動作を代行する。また代行モードであるＴＶ受像機２は、レコーダー１からの回復通知情報（後述するステップＳ２５を参照）の受信を待機する（ステップＳ１３）。
【００６１】
回復通知情報を受信すると（ステップＳ３のＹ）、ＴＶ受像機２は、特定動作を代行していない場合には（ステップＳ１４のＮ）、通常動作モードへ移行する（ステップＳ１７）。但し、特定動作の代行中である場合（ステップＳ１４のＹ）、ＴＶ受像機２は、表示されているＯＳＤ画面を切替えるキー操作（Ｋａ〜Ｋｄ）が行われたか否かの監視を開始する（ステップＳ１５）。
【００６２】
なおキー操作（Ｋａ〜Ｋｄ）であっても、ＯＳＤ画面の切替を伴わない場合は、ＯＳＤ画面を切替えるキー操作に該当しない。すなわち、ＥＰＧ画面を表示させた状況でのキー操作Ｋａ、検索画面を表示させた状況でのキー操作Ｋｂ、予約リスト画面を表示させた状況でのキー操作Ｋｃ、およびタイトルリスト画面を表示させた状況でのキー操作Ｋｄは、ＯＳＤ画面を切替えるキー操作に該当しない。また特定動作の一つとして、表示されているＯＳＤ画面を消去する動作がある場合には、この特定動作に対応するキー操作が行われたときにも、引継情報がレコーダー１に送信される。
【００６３】
ＯＳＤ画面を切替えるキー操作が行われると（ステップＳ１５のＹ）、ＴＶ受像機２は、引継情報をレコーダー１に送信する（ステップＳ１６）。なおこのときＴＶ受像機２は、最後に行われた当該キー操作（ＯＳＤ画面を切替えるキー操作）に対応する特定動作については代行しない。この特定動作については、引継情報を受信するレコーダー１側で実行されるようになっている。
【００６４】
ＴＶ受像機２は、引継情報をレコーダー１に送信した後、通常動作モードへ移行し（ステップＳ１７）、ステップＳ１１の動作を繰返す。
【００６５】
なお後述するように、レコーダー１は、所定条件が満たされたときに、これまでの代行によって形成された代行機器の現在状態を引継ぐようになっている（ステップＳ２８を参照）。引継情報は、このような現在状態の情報を含み、レコーダー１における当該引継を可能とする情報である。
【００６６】
引継情報には、例えば、現在表示しているＯＳＤ画面、カーソルの位置、代行中に録画予約登録された番組、番組検索のために入力されたキーワード、番組の検索結果、および代行中に再生登録された番組などが含まれる。また例えば現在表示しているＯＳＤ画面がＥＰＧ画面である場合、ＥＰＧ画面に表示されている日時の範囲、およびＥＰＧ画面に表示されているチャンネル数なども、引継情報に含まれる。
【００６７】
次に、レコーダー１が行う特定動作の代行に関する動作について、図４に示すフローチャートを参照しながら以下に説明する。
【００６８】
レコーダー１（サブマイコン１４）は、通常動作モードにおいて、自機（メインＩＣ１５）が制限状態となる状況であるか否かを監視する（ステップＳ２１）。なお、自機が制限状態となる状況とは、メインＩＣ１５がこれから起動処理を実行する状況、メインＩＣ１５がこれからファームウェアのアップデートを実行する状況、およびＯＳＤ描画がこれから制限される状況が挙げられる。
【００６９】
そして制限状態となる状況である場合（ステップＳ２１のＹ）、サブマイコン１４は、特定動作の代行が可能である機器（代行機器）との通信が可能であるかを判別する（ステップＳ２２）。なお代行機器はＴＶ受像機２の他、上述したステップＳ１１〜Ｓ１７と同等の動作を行う各種機器が該当する。以下の説明では、代行機器はＴＶ受像機２であるとする。
【００７０】
ＴＶ受像機２（代行機器）との通信が可能である場合（ステップＳ２２のＹ）、サブマイコン１４は、ＴＶ受像機２へ代行通知情報を送信し、代行依頼モードへ移行する（ステップＳ２３）。代行依頼モードは、メインＩＣ１５による実行が制限されている特定動作に対応したキー操作が行われる度に、そのキー操作の情報をＴＶ受像機２へ送信する動作モードである。当該送信により、ＴＶ受像機２に特定動作を代行させる（代行を行わせる）ことが可能である。
【００７１】
またサブマイコン１４は代行依頼モードにおいて、メインＩＣ１５が制限状態から回復したか否かを監視する（ステップＳ２４）。なお起動処理の実行により制限状態となっているときには、起動処理が完了することにより制限状態から回復する。またファームウェアのアップデートの実行により制限状態となっているときには、当該アップデートが完了することにより制限状態から回復する。またＯＳＤ描画が制限されることにより制限状態となっているときには、当該制限が解除されることにより制限状態から回復する。
【００７２】
メインＩＣ１５が制限状態から回復した場合（ステップＳ２４のＹ）には、サブマイコン１４は、その旨を通知するための回復通知情報をＴＶ受像機２へ送信する（ステップＳ２５）。そしてＴＶ受像機２が特定動作の代行中ではない場合には（ステップＳ２６のＮ）、レコーダー１は通常動作モードへ移行する。但しＴＶ受像機２が特定動作の代行中である場合には（ステップＳ２６のＹ）、ＴＶ受像機２からの引継情報の受信を待機する（ステップＳ２７）。
【００７３】
引継情報を受信すると（ステップＳ２７のＹ）、レコーダー１（メインＩＣ１５）は、これまでの代行によって形成されたＴＶ受像機２の現在状態を引継ぐ（ステップＳ２８）。すなわちレコーダー１は、引継情報に基づいて、ＴＶ受像機２の現在状態を再現させるようにする。
【００７４】
例えば、ＴＶ受像機２の現在状態が、「カーソルが番組Ａを指し示している状態のＥＰＧ画面」を表示させている状態である場合、レコーダー１はこれを引継いで、「カーソルが番組Ａを指し示している状態のＥＰＧ画面」を表示させる。またＴＶ受像機２の現在状態が、予約リストに番組Ｂが追加された状態である場合、レコーダー１はこれを引継いで、予約リストに番組Ｂを追加する。また代行中に番組Ｃが再生登録された場合、レコーダー１は当該引継の後、番組Ｃを再生させるようにする。
【００７５】
このような引継が行なわれることにより、ユーザに出来るだけ違和感を与えることなく、特定動作の動作主体をＴＶ受像機２からレコーダー１に移行させることが可能である。また先述した通り、ＴＶ受像機２は、表示されているＯＳＤ画面の切替（消去も含む）に対応したキー操作が行われたときに、引継情報をレコーダー１に送信する（ステップＳ１５のＹ、Ｓ１６を参照）。
【００７６】
これにより、表示切替動作（表示されているＯＳＤ画面の切替または消去を行う動作）の代行が行われるタイミングで、当該引継が行なわれる。すなわち切替前の画面の表示は、ＴＶ受像機２の代行により行なわれるが、切替後の画面の表示はレコーダー１（メインＩＣ１５）が行う。これにより、特定動作の動作主体をＴＶ受像機２からレコーダー１に移行させる際に、不自然な表示切替が生じることを防ぎ、ユーザにより違和感を与えないようにすることが可能である。レコーダー１は、上述した引継が完了した後に通常動作モードへ移行し（ステップＳ２９）、ステップＳ２１の動作を繰返す。
【００７７】
またサブマイコン１４は、ＴＶ受像機２（代行機器）との通信が不可である場合（ステップＳ２２のＮ）には、メインＩＣ１５が制限状態から回復したか否かを監視する（ステップＳ３０）。このときサブマイコン１４は、一部のキー操作（レコーダー１において実行可能な動作に対応したキー操作）のみを受付ける。このようなキー操作が行われた場合には、レコーダー１が当該キー操作に対応した動作を実行する。そしてメインＩＣ１５が制限状態から回復した場合には（ステップＳ３０のＹ）、レコーダー１は、通常動作モードへ移行する。
【００７８】
なおこのとき、出来るだけユーザの意に沿った動作が行われることが望ましい。例えば、メインＩＣ１５が電源オフであるときにＥＰＧ画面の表示指示のキー操作が行われ、これによって起動処理が実行された場合には、ユーザはＥＰＧ画面の閲覧を希望していると考えられる。そこでこの場合にレコーダー１は、制限状態から回復したときに、直ちにＥＰＧ画面を表示させるようにする。
【００７９】
特定動作の代行に関する動作についてより理解容易とするため、図５にその典型例についての概念図を示す。
【００８０】
本図に示すようにレコーダー１は、メインＩＣ１５が制限状態となる状況が発生すると、代行通知情報をＴＶ受像機２へ送信する。このときに、レコーダー１は通常動作モードから代行依頼モードへ移行し、ＴＶ受像機２は通常動作モードから代行モードへ移行する。
【００８１】
代行モードであるＴＶ受像機２は、代行依頼モードであるレコーダー１からキー操作の情報が随時送信されると、このキー操作に対応した特定動作を代行する。これによりユーザは、メインＩＣ１５が制限状態のときであっても、ほぼ普段通りに特定動作を実行させることが可能である。そのためユーザにとっての利便性は維持される。
【００８２】
代行依頼モードであるレコーダー１は、制限状態から回復すると、回復通知情報をＴＶ受像機２へ送信する。その後、ＯＳＤ画面を切替または消去するキー操作が行われると、ＴＶ受像機２は、引継情報をレコーダー１へ送信する。これによりレコーダー１は、ＴＶ受像機２の現在状態を引継ぐ。このときに、レコーダー１は代行依頼モードから通常動作モードへ移行し、ＴＶ受像機２は代行モードから通常動作モードへ移行する。
【００８３】
なおレコーダー１とＴＶ受像機２の間における、キー操作の情報、各通知情報、および引継情報等の送受信は、ＨＤＭＩ規格によるＣＥＣ機能によって行われても良い。またＴＶ受像機２が代行モードであるときに、録画予約登録がなされた場合には、その情報が直ちにレコーダー１へ送信されるようにしても良い。
【００８４】
またファームウェアのアップデートによりメインＩＣ１５が制限状態となる場合、制限状態から回復しても、メインＩＣ１５は当分の間、録画再生を行うことは不可である。そのためこの場合には、タイトルリスト画面の表示は代行されないようにしても良い。例えば制限状態の間にキー操作Ｋｄが行われた場合には、キー操作受付不可のメッセージを表示し、当該キー操作を無効としても良い。
【００８５】
［その他］
以上に説明した通り、レコーダー１は、所定の特定操作を受付ける機能部（操作受付部）と、特定操作が行われた場合に所定の特定動作を実行する機能部（動作実行部）と、自機が特定動作の実行が制限される制限状態であるか否かを識別する機能部（識別部）と、特定動作の代行を行う機能を有したＴＶ受像機２との通信を行う機能部（通信部）を備える。またレコーダー１は、自機が制限状態であるときに特定操作が行われた場合に、前記代行を行わせる情報をＴＶ受像機２へ送信する。
【００８６】
そのためレコーダー１は、自機が制限状態であっても、ＴＶ受像機２に特定動作を代行させることが出来る。これにより、ユーザの要求が満たされないことによる利便性の低下を抑えることが可能である。
【００８７】
なお操作受付部は、特定操作として、それぞれに異なる特定動作が対応付けられた複数種のキー操作のうちの何れかを受付け、動作実行部は、このようなキー操作が行われた場合に、該キー操作に対応した特定動作を実行する。そしてレコーダー１は、自機が制限状態であるときにキー操作の何れかが行われた場合に、前記代行を行わせる情報として、該キー操作の情報をＴＶ受像機２へ送信する。これによりレコーダー１は、特定動作の代行を行わせる動作としてキー操作の情報の送信を行なえば良く、動作負担は軽減される。
【００８８】
また特定動作には、ＥＰＧを表示させる動作、ＥＰＧからの番組検索を受付ける動作、予約録画の対象である番組のリスト（予約リスト）を表示させる動作が含まれる。また特定動作には、表示されているＯＳＤ画面の切替または消去を行う表示切替動作、が含まれる。
【００８９】
また機器システム９は、上述したレコーダー１と、レコーダー１からキー操作の情報を受信したときに、該キー操作に対応した特定動作の代行を行うＴＶ受像機２を有する。またレコーダー１は、制限状態から回復したときに、これまでの代行によって形成された代行機器の現在状態を引継ぐようになっている。これにより、ユーザに出来るだけ違和感を与えることなく、特定動作の動作主体をＴＶ受像機２からレコーダー１に移行させることが可能である。
【００９０】
より詳細には、レコーダー１は制限状態から回復したときに、前記表示切替動作の代行が行われるタイミングで、これまでの代行によって形成された代行機器の現在状態を引継ぐようになっている。これにより、特定動作の動作主体をＴＶ受像機２からレコーダー１に移行させる際に、不自然な表示切替が生じることを防ぎ、ユーザにより違和感を与えないようにすることが可能である。
【００９１】
なお本発明の実施形態は上述したものに限られることなく、その主旨を逸脱しない範囲において種々の変形を加えることが可能である。また本発明は、通信機能を有する各種の電気機器に利用することができる。
【符号の説明】
【００９２】
１      レコーダー（電気機器）
１０    レコーダー本体
１１    リモコン送信機
１２    リモコン受光部
１３    本体スイッチ
１４    サブマイコン
１５    メインＩＣ
１６    内蔵ＨＤＤ
１７    ＬＡＮインターフェース
１８    ディスクドライブ
２      ＴＶ受像機（代行機器）
３      ＨＤＭＩケーブル
４      ＳＤカード
５      ＵＳＢメモリ
６      外付けＨＤＤ
９      機器システム
【図１】
2015026885.tif 000003
【図２】
2015026885.tif 000004
【図３】
2015026885.tif 000005
【図４】
2015026885.tif 000006
【図５】
2015026885.tif 000007